(57)【要約】【課題】  軽くて取扱性が優れるうえに、処置温度にすばやく昇温させることができる蒸気蓄熱式ヘアカーラーを目的とする。【解決手段】  長手方向に貫通する蒸気導入孔１２ａを備えた無数の連続気孔を有する蓄熱材１２をパーマネントウエーブ処置用の筒状ロッド１１の内部に嵌着し、この筒状ロッド１１の両端をキャップ１３により閉塞するとともに、一方のキャップに蓄熱材１２の蒸気導入孔１２ａと連通される蒸気供給用の接続口１３ａを設けてあり、蒸気供給により蓄熱材１２はその無数の連続気孔に蒸気熱を蓄え、蓄熱材１２の熱を筒状ロッド１１に与えるようにしたので、熱源と切り離すことができて取扱性が良好なうえ軽量となり、多数の筒状ロッドを髪に巻き付けても頭部にかかる負担を軽減できるうえに、髪が筒状ロッドの重みで強く引っ張られることがない。【選択図】図１
2010125045.tif 000002
【特許請求の範囲】
【請求項１】
長手方向に貫通する蒸気導入孔を備えた無数の連続気孔を有する蓄熱材をパーマネントウエーブ処置用の筒状ロッドの内部に嵌着し、この筒状ロッドの両端をキャップにより閉塞するとともに、一方のキャップに蓄熱材の蒸気導入孔と連通される蒸気供給用の接続口を設けたことを特徴とする蒸気蓄熱式ヘアカーラー。
【請求項２】
筒状ロッドの筒壁に多数の蒸気通過部を配設してある請求項１に記載の蒸気蓄熱式ヘアカーラー。
【請求項３】
キャップを断熱材よりなるものとした請求項１または２に記載の蒸気蓄熱式ヘアカーラー。
【請求項４】
キャップにヘアバンド係止部を形成してある請求項１から３のいずれかに記載の蒸気蓄熱式ヘアカーラー。
【請求項５】
他方のキャップに蒸気排気孔を形成してある請求項１から４のいずれかに記載の蒸気蓄熱式ヘアカーラー。
【請求項６】
筒状ロッドの材質を熱伝導率の高いものとした請求項１から５のいずれかに記載の蒸気蓄熱式ヘアカーラー。
【発明の詳細な説明】
【技術分野】
【０００１】
本発明はパーマネントウエーブ処置を行なう蒸気蓄熱式ヘアカーラーに関するものである。
【背景技術】
【０００２】
従来、パーマネントウエーブ処置を行なうヘアカーラーとしては、毛髪を巻き付ける各ロールに発熱体を取り付け、該各ロールに巻き付けられる保湿材を前記発熱体で加熱して蒸気を発生させることにより、前記毛髪に蒸気を与えつつ加熱してウエーブを形成するものがある（例えば、特許文献１参照）。また、ツールホルダに蒸気の発生器とグリップを設け、発生器で発生した蒸気を、髪が巻き付けられるツールに供給して髪を整えるものがある（例えば、特許文献２参照）。さらに、ホルダーの先方に形成された巻き部品内に水を加熱して蒸気を発生させる蒸発チャンネルを設けたものがある（例えば、特許文献３参照）。
【０００３】
しかし、特許文献１のように、発熱体を組み込んだ多数のロールを毛髪に巻き付けるため、ロールの重みで毛髪が引っ張られて被施術者に不快感を与えるという問題があります。また、特許文献２のように、ツールホルダに取り付けられたツールに蒸気を供給しつつ髪を整えるものとしているため、器具が重く操作性が悪いという問題があります。さらに、特許文献３のように、加熱素子と水流路とよりなる蒸発チャンネルを先方の巻き部品に設けているため先端が重く操作性が悪いうえに、施術者の肩や腕への負担が大きいという問題があります。
【特許文献１】実開平７−３６９０２号公報
【特許文献２】特開平７−３０８２２０号公報
【特許文献３】特表２００３−５０４１３４号公報
【発明の開示】
【発明が解決しようとする課題】
【０００４】
本発明が解決しようとするところは、前記したような従来品の問題を解決し、軽くて取扱性が優れるうえに、処置温度にすばやく昇温させることができる蒸気蓄熱式ヘアカーラーを提供することである。
【課題を解決するための手段】
【０００５】
前記した課題を解決するためになされた本発明の蒸気蓄熱式ヘアカーラーは、長手方向に貫通する蒸気導入孔を備えた無数の連続気孔を有する蓄熱材をパーマネントウエーブ処置用の筒状ロッドの内部に嵌着し、この筒状ロッドの両端をキャップにより閉塞するとともに、一方のキャップに蓄熱材の蒸気導入孔と連通される蒸気供給用の接続口を設けたことを特徴とするものである。
【０００６】
なお、筒状ロッドの筒壁に多数の蒸気通過孔を形成したり、キャップを断熱材よりなるものとしたり、キャップにヘアバンド係止部を形成したり、他方のキャップに蒸気排気孔を形成しておいたり、筒状ロッドの材質を熱伝導率の高いものとしたりすればより好ましいものとなる。
【発明の効果】
【０００７】
本発明は、長手方向に貫通する蒸気導入孔を備えた無数の連続気孔を有する蓄熱材をパーマネントウエーブ処置用の筒状ロッドの内部に嵌着し、この筒状ロッドの両端をキャップにより閉塞するとともに、一方のキャップに蓄熱材の蒸気導入孔と連通される蒸気供給用の接続口を設けたことにより、蒸気供給源と切り離してもパーマネントウエーブに要する時間と温度を維持することができ、また、蒸気供給源と切り離すことにより取り扱いが良好なうえ軽くなって、多数の筒状ロッドを髪に巻き付けても頭部にかかる負担を軽減できるうえに、髪が筒状ロッドの重みで強く引っ張られることがないので、被施術者は快適に施術を受けることができる。さらに、筒状ロッドの温度が低下した際には、フレキシブルパイプ等を介して蒸気供給源と接続口とを接続すれば、筒状ロッドを髪から外さなくても再加熱でき、施術を効率よく行なうことができる。さらに、蒸気加熱のため、筒状ロッドの温度が１００℃を超えることがないので、過熱により髪を傷めることがない。
【０００８】
また、筒状ロッドの筒壁に多数の蒸気通過孔を形成しておくことにより、蓄熱材中の蒸気により髪に水分を浸透させることができるので、髪を痛めることなくパーマネントウエーブ処置をより確実に行なうことができる。
【０００９】
さらに、キャップを断熱材よりなるものとすることにより、施術者は火傷を負うことなく安全に加熱された筒状ロッドを髪に巻きつけることができることとなる。
【００１０】
また、キャップにヘアバンド係止部を形成しておくことにより、筒状ロッドに巻き付けた髪をヘアバンドで留めることができるので、クリップを用いなくてよい分軽くなり被施術者は快適に施術を受けることができる。
【００１１】
さらにまた、他方のキャップに蒸気排気孔を形成しておくことにより、蒸気排気孔からの蒸気の噴出加減で蓄熱材の加熱状態を目視確認できるので、筒状ロッドを低温のまま用いることが防止され、パーマネントウエーブを的確に処置することができる。
【００１２】
また、筒状ロッドの材質を熱伝導率の高いものとしておくことにより、蓄熱材からの熱により筒状ロッドを急速に加熱昇温できるので、施術時間を短縮でき、1 日当たりの処置人数を増やすことができる。
【発明を実施するための最良の形態】
【００１３】
次に、本発明を蒸気発生装置に取り付けた実施形態に基づいて詳細に説明する。
１は蒸気蓄熱式ヘアカーラー１０を加熱する蒸気発生装置であり、該蒸気発生装置１は凝結水分離筒２と、蒸気を発生させる蒸気発生室３と、凝結水分離筒２に設けられた蒸気を送出する送風機４と、蒸気発生室３に水を定量供給する補給水機構５とからなる。６は凝結水分離筒２に設けられる一つまたは多数の蒸気供給用接続管であり、６ａはこの蒸気供給用接続管６に形成される蒸気蓄熱式ヘアカーラー接続用の継ぎ手である。７は補給水機構５と蒸気発生室３とを連通させる連結管であり、該連結管７を通じて蒸気発生室３で消費された水が消費量分だけ供給される。８は凝結水分離筒２と蒸気発生室３とを連通させる連結管であり、この連結管８を通じて凝結水分離筒２で生じた凝結水が蒸気発生室３に戻されるようになっている。９は蒸気蓄熱式ヘアカーラー接続用の継ぎ手６ａに形成される保温筒であり、この保温筒９は、継ぎ手６ａに接続される蒸気蓄熱式ヘアカーラー１０が外気に触れて冷却されて凝結水が生じないようするためのものである。
【００１４】
前記凝結水分離筒２には蒸気発生室３の蒸気供給管３a と、送風機４及び前記蒸気供給用接続管６が接続されており、該蒸気供給用接続管６は、図4 に示されるように、蒸気蓄熱式ヘアカーラー１０用のものと、後記する延長チューブ６０用のものとを一つずつ設けたものとしているが、蒸気蓄熱式ヘアカーラー１０用のものと延長チューブ６０用のものを多数設けてもよい。また、蒸気供給用接続管６は凝結水分離筒２上面に垂直に設けて凝結水が重力で凝結水分離筒２内に垂れ落ちるようにして、送風により先端口より吹き出され難くしている。
【００１５】
前記した蒸気発生室３は、ヒータ３ｂを水中に浸漬させたものであり、蒸気発生室３の水位は補給水機構５により常に一定に維持されるようになっている。
【００１６】
また、前記した送風機４は、エアポンプまたは電動ファンよりなるもので、この送風機４は前記凝結水分離筒２の一側方部に接続されて、蒸気発生室３からの蒸気を蒸気供給用接続管６に効率よく送り出せるようにしている。
【００１７】
一方、前記した補給水機構５は、定水位室５ａと補給タンク５ｂと水位センサ５ｃとからなり、補給タンク５ｂには定水位室５ａ内に配設される浸漬筒５ｄが垂設されており、該浸漬筒５ｄには開口５ｅが透設されてこの開口５e 位置まで水が定水位室５ａに供給されるようになっていて、こうすることにより蒸気発生室３から蒸発消費された減少分の水を蒸気発生室３に常時補給できるようにしている。
【００１８】
次に、本発明に係る蒸気蓄熱式ヘアカーラー１０を詳細に説明する。
蒸気蓄熱式ヘアカーラー１０は、熱伝導率の高い金属や熱伝導率の高い合成樹脂などの熱伝導率の高い材料よりなる筒状ロッド１１と、該筒状ロッド１１の内部に嵌着される蓄熱材１２と、筒状ロッド１１の両端を閉塞するキャップ１３とよりなるもので、この蒸気蓄熱式ヘアカーラー１０は、蒸気供給用接続管６の先端に形成された継ぎ手６ａに接続されて蒸気が供給されるものとしている。
【００１９】
前記した筒状ロッド１１は、図１、図２、図３に示される第１の実施例や、図６、図７、図８に示される第２実施例のものでは、アルミニウム合金やマクネシウム合金のような熱伝導率の高いパイプ１１ａの周壁に孔状の蒸気通過部１１ｂが多数透設されたもので、この蒸気通過部１１ｂから蓄熱材１２に含まれた蒸気が排出されるようにして髪に適度な湿度を与えて加熱により髪が傷むことを防ぐとともに、パーマネントウエーブをかかり易くしているが、蒸気通過部１１ｂをなくすことによって蒸気の逃げを抑え、筒状ロッド１１を冷め難くすることもできる。なお、実施例の筒状ロッド１１は直径を２０ｍｍのパイプ１１ａの周壁にその先端部から基端部にわたって溝幅２〜３ｍｍのスリット状の蒸気通過部１１ｂを先端部から基端部にわたって６０°間隔で透設したものとしている。
【００２０】
また、筒状ロッド１１は、図９、図１０、図１１に示される第３の実施例や、図１２、図１３、図１４に示される第４の実施例のように、アルミニウム合金やマクネシウム合金のような熱伝導率の高い細棒１１ｃを上下の台座１１ｄに円周上に配設したものとし、上下の台座１１ｄにキャップ１３を嵌着したものとし、各細棒１１ｃ、１１ｃ間をスリット状の蒸気通過部１１ｂとして蓄熱材１２に吸収された蒸気がこの蒸気通過部１１ｂより排出されるようにし、これにより髪に適度な湿度を与えて加熱により髪が傷むことを防ぐとともに、パーマネントウエーブをかかり易くできる。なお、例えば、直径２ｍｍの細棒１１ｃを直径２０ｍｍの円周上に３０°間隔で１２本、あるいは２２．５°間隔で１６本配設して蒸気通過孔１１ｂの開口面積を異ならせることにより、髪質や施術に応じて使い分けができるものとなる。
【００２１】
また３前記筒状ロッド１１の材質は熱伝導率の高いものであれば、前記したような金属以外にも熱伝導率の高いプラスチックス（例えば、炭素繊維を樹脂中に混在させたもの、その他）とすることにより、蓄熱材１２の熱により急速に加熱され、施術をすばやく行なうことができるようにすることもできる。
【００２２】
また、前記蓄熱材１２は耐熱性のある合成樹脂発泡体のような無数の連続気孔を有する材料よりなり、その中心には長手方向に貫通する蒸気導入孔１２a を備えたものであって、この蓄熱材１２の無数の連続気孔に蒸気を溜め込むことができるようになっている。この蓄熱材１２は合成樹脂発泡体のほかにも繊維、粒状物よりなるものでもよく、これらの成形体とすることにより蒸気導入孔１２a を一体成形できるので、組み付けが容易で生産性を向上させることができる。
【００２３】
前記キャップ１３は、筒状ロッド１１の両端に嵌着されて蓄熱材１２を押えるとともに、蒸気の流出を抑える役割をもつものであり、このキャップ１３は、図１、図２、図３に示されるように筒状ロッド１１に嵌合したり、図６、図７、図８に示されるように螺着することにより、筒状ロッド１１や蓄熱材１２を洗浄したり、蓄熱材１２を交換したりすることができる。そして、一方のキャップ１３には、継ぎ手６ａと接続されて蓄熱材１２の蒸気導入孔１２ａに蒸気を流入させるための接続口１３a が形成され、また、他方のキャップ１３には前記した接続口１３a より小径の蒸気排気孔１３b が透設されている。この蒸気排気孔１３b は、蒸気の噴出量に基づいて蓄熱材１２の連続気孔に蒸気が充満したかを確認できるので、筒状ロッド１１の温度を概ね予測できるものとなる。
【００２４】
また、各キャップ１３には多数のヘアバンド係止部１３c が形成されており、筒状ロッド１１に巻き付けた髪をヘアバンドで留めることができるようにして、クリップを用いる場合より軽くなるようにしているが、クリップを用いて筒状ロッド１１に髪を留めるようにしてもよいことは勿論である。こうすればヘアバンドを用いるより施術のスピードアップを図り施術者数を増すことができる。また、キャップ１３は、ゴム等の断熱性材料よりなるものとして、加熱された筒状ロッド１１による髪巻き作業により火傷を負うことがなくようにしている。
【００２５】
さらに、凝結水分離筒２の蒸気供給用接続管６に装着される前記延長チューブ６０は、他端を蒸気蓄熱式ヘアカーラー１０の接続口１３ａの接続部としている。この延長チューブ６０は、施術中の蒸気蓄熱式ヘアカーラー１０の温度が低下した場合、蒸気蓄熱式ヘアカーラー１０を再加熱するために用いるものである。なお、６１は延長チューブ６０の先方部に設けられる断熱製の把持部、６２は把持部６１内に形成される凝結水吸着機構であり、該凝結水吸着機構６２は周壁に多数の小孔６２ａを透設したノズル管６２ｂとノズル管６２ｂを被套するスポンジ等の凝結水吸着筒６２ｃとからなり、延長チューブ６０内に生じた凝結水を凝結水吸着筒６２ｃにより吸着させてノズル管６２ｂより水滴が吹き出されないようにしている。
【００２６】
このような装置によりパーマネントウエーブをかける際には、蒸気発生室３内に水を供給したうえ、電源を投入して蒸気発生室３のヒータ３ｂに通電すれば、蒸気発生室３内の水は沸騰して蒸気を発生させることとなるので、蒸気発生室３の蒸気は凝結水分離筒２内に流入することとなる。凝結水分離筒２内に流入した蒸気は送風機４の送風圧により蒸気供給用接続管６より排出されることとなる。
【００２７】
そして、蒸気蓄熱式ヘアカーラー１０を蒸気加熱させる際には、蒸気供給用接続管６の継ぎ手６ａに蒸気蓄熱式ヘアカーラー１０を立設させれば、蒸気は蒸気導入路１２ａを通じて無数の連続気孔内に入り込んで溜め込まれるとともに蓄熱材１２を加熱することとなる。このとき、蒸気蓄熱式ヘアカーラー１０は保温筒９内に保持されているため、筒状ロッド１１が外冷気に触れて冷却されることが防止されるとともに凝結水の発生が抑制される。
【００２８】
このようにして加熱された蒸気蓄熱式ヘアカーラー１０によりパーマネントウエーブをかけるには、先ず、蒸気蓄熱式ヘアカーラー１０に髪を巻き付ける前に、髪に酸性の前処理液を塗布した後、パーマ第１剤を髪に塗布して髪を加熱し、パーマ第1 剤による髪の処理を促進させ、ＳーＳ結合を切り離す。その後、髪からパーマ第１剤を洗い流したうえ髪をドライヤーで軽く乾燥させる。
【００２９】
続いて、蒸気排気孔１３b より吹き上がる蒸気量を確認して、十分加熱されている蒸気蓄熱式ヘアカーラー１０を断熱材よりなるキャップ１３を把持して保温筒９より取り出す。次いで、筒状ロッド１１に髪に巻きつける。髪を蒸気蓄熱式ヘアカーラー１０に巻き付けた後、ヘアバンドを両端のキャップ１３のヘアバンド係止部１３c に係止させて髪を固定するか、クリップで髪を蒸気蓄熱式ヘアカーラー１０に固定する。
【００３０】
こうすることにより髪は１００℃を越えることのない蒸気及び蒸気熱で加熱されウエーブが形成されることとなる。そして、所要時間が経過したら蒸気蓄熱式ヘアカーラー１０を髪から外すか、ウエーブをチェック後、必要に応じて髪を蒸気蓄熱式ヘアカーラー１０に巻き直す。
【００３１】
次に、蒸気蓄熱式ヘアカーラー１０が外された髪にパーマ第２剤を塗布し、切り離されていたＳ−Ｓ結合を再結合させるか、蒸気蓄熱式ヘアカーラー１０に髪を巻いたままパーマ第２剤を塗布し、切り離されていたＳ−Ｓ結合を再結合させる。次いで、パーマ第２剤を洗い流したうえ、髪を乾燥させればパーマネントウエーブは完成される。
【図面の簡単な説明】
【００３２】
【図１】本発明の第１の実施例を示す斜視図である。
【図２】同じく縦断断面図である。
【図３】同じく分解斜視図である。
【図４】本発明に用いられる蒸気発生装置の概略図である。
【図５】延長チューブの把持部に設けられる凝縮水吸着機構を示す拡大断面図である。
【図６】本発明の第２の実施例を示す斜視図である。
【図７】同じく縦断断面図である。
【図８】同じく分解斜視図である。
【図９】本発明の第３の実施例を示す斜視図である。
【図１０】同じく縦断断面図である。
【図１１】同じく分解斜視図である。
【図１２】本発明の第４の実施例を示す斜視図である。
【図１３】同じく縦断断面図である。
【図１４】同じく分解斜視図である。
【符号の説明】
【００３３】
１  蒸気発生装置
２  凝結水分離筒
３  蒸気発生室
3a  蒸気供給管
3b  ヒータ
４  送風機
５  補給水機構
5a  定水位室
5b  補給タンク
5c  水位センサ
5d  浸漬筒
5e  開口
６  蒸気供給用接続管
6a  継ぎ手
７  連結管
８  連結管
９  保温筒
10  蒸気蓄熱式ヘアカーラー
11  筒状ロッド
11a パイプ
11b 蒸気通過孔
11c 細棒
11d 台座
12  蓄熱材
12a 蒸気導入孔
13  キャップ
13a 接続口
13b 蒸気排気細孔
13c ヘアバンド係止部
60  延長チューブ
61  把持部
62  凝結水吸着機構
62a 小孔
62b ノズル管
62c 凝結水吸着筒
【図１】
2010125045.tif 000003
【図２】
2010125045.tif 000004
【図３】
2010125045.tif 000005
【図４】
2010125045.tif 000006
【図５】
2010125045.tif 000007
【図６】
2010125045.tif 000008
【図７】
2010125045.tif 000009
【図８】
2010125045.tif 000010
【図９】
2010125045.tif 000011
【図１０】
2010125045.tif 000012
【図１１】
2010125045.tif 000013
【図１２】
2010125045.tif 000014
【図１３】
2010125045.tif 000015
【図１４】
2010125045.tif 000016